(57)【特許請求の範囲】
【請求項１】
免震ビル等の外壁面の下端部の下部に空間部を介して設置されたよう壁に、前記空間部へ突出して最適な目地部となるように設けられた下部見切壁、前記免震ビル等の外壁面の下端部に前記空間部へ突出して最適な目地部となるように設けられた上部見切壁の両方あるいはいずれか一方と、この上部見切壁あるいは下部見切壁に取付け具を介して密封状態で前記目地部を覆うように取付けられた耐火シートの内部に耐火綿、ロックウール等の耐火材が収納された耐火帯と、この耐火帯を所定温度以上になると膨脹できるように該耐火帯内に設けられた感熱膨脹材とからなることを特徴とする免震ビル等の目地装置。
【請求項２】
免震ビル等の外壁面の下端部の下部に空間部を介して設置されたよう壁に、前記空間部へ突出して最適な目地部となるように設けられた下部見切壁、前記免震ビル等の外壁面の下端部に前記空間部へ突出して最適な目地部となるように設けられた上部見切壁の両方あるいはいずれか一方と、この上部見切壁あるいは下部見切壁の上部の外壁面の下端部に取付け具を介して取付けられた耐火シートの内部に耐火綿、ロックウール等の耐火材が収納された耐火帯と、この耐火帯の耐火シート内に位置する前記上部見切壁あるいは下部見切壁の上部の外壁面の下端部に取付けられた一対のクランク状の耐火支持板と、この一対の耐火支持板に少なくとも上方へ移動可能に支持された、前記耐火シートを下部見切壁あるいはよう壁へ押し圧する耐火体とからなることを特徴とする免震ビル等の目地装置。
【請求項３】
免震ビル等の外壁面の下端部の下部に空間部を介して設置されたよう壁に、前記空間部へ突出するように設けられた下部見切壁と、この下部見切壁と対応する部位の前記外壁面の下端部に下方へ突出して最適な目地部となるように設けられた上部見切壁と、この上部見切壁の側面に取付けることができる取付け部が、該上部見切壁の下面に密着するように位置する取付け具と、この取付け具に前記目地部を覆うように取付けられた耐火シートの内部に耐火綿、ロックウール等の耐火材が収納された耐火帯と、この耐火帯を所定温度以上になると膨脹できるように該耐火帯内に設けられた感熱膨脹材とからなることを特徴とする免震ビル等の目地装置。
【発明の詳細な説明】
【０００１】
【発明の属する技術分野】
本発明は免震ビル等の下部外周部に形成された目地部を覆う免震ビル等の目地装置に関する。
【０００２】
【従来の技術】
従来、免震ビル等の下部外周部に形成された目地部は、該目地部を構成する躯体が地震等によって上下方向および前後左右方向に揺れ動いても、隙間が生じないように防水ゴムシートを用いた目地装置を設置している。
【０００３】
【発明が解決しようとする課題】
従来の防水ゴムシートを用いた目地装置では防水を図ることができるが、断熱性や耐火性に欠けるという欠点があるとともに、地震等で免震ビル等が大きく揺れ動くと、防水ゴムシートを用いた目地装置では目地部に隙間が生じやすく、点検修理が必要になるという欠点があった。
【０００４】
本発明は以上のような従来の欠点に鑑み、十分な断熱性と耐火性が得られるとともに、地震等によって免震ビル等が大きく揺れ動いても、自動的に元の状態に戻って、目地部に隙間が生じるのを確実に防止できる免震ビル等の目地装置を提供することを目的としている。
【０００５】
また、本発明は火災時等に所定温度以上になると膨脹させて、目地部を強固に密封して火災の侵入を阻止したり、あるいは耐火体の動きによって耐火シートで確実に目地部を覆って、火災の侵入を阻止することができる免震ビル等の目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は免震ビル等の外壁面の下端部の下部に空間部を介して設置されたよう壁に、前記空間部へ突出して最適な目地部となるように設けられた下部見切壁、前記免震ビル等の外壁面の下端部に前記空間部へ突出して最適な目地部となるように設けられた上部見切壁の両方あるいはいずれか一方と、この上部見切壁あるいは下部見切壁に取付け具を介して密封状態で前記目地部を覆うように取付けられた耐火シートの内部に耐火綿、ロックウール等の耐火材が収納された耐火帯と、この耐火帯を所定温度以上になると膨脹できるように該耐火帯内に設けられた感熱膨脹材とで免震ビル等の目地装置を構成している。
【０００８】
【発明の実施の形態】
以下、図面に示す実施の形態により、本発明を詳細に説明する。
【０００９】
図１ないし図７に示す本発明の第１の実施の形態において、１は免震装置２によって支持された、免震ビル等の建物３の下部外周部３ａとよう壁４との間に形成された目地部５を覆う本発明の免震ビル等の目地装置で、この免震ビル等の目地装置１は前記建物３の下部外周部３ａより下部の空間部６に突出するように設けられた上部見切壁７と、この上部見切壁７と対向する部位の前記よう壁４に上方へ突出して最適な目地部５となるように設けられた下部見切壁８と、前記上部見切壁７に取付け具９、９Ａを介して密封状態で前記目地部５を覆うように取付けられた、ステンレスやチタン等のペーパーメタル等の耐火シート１０の内部に耐火綿、ロックウール等の耐火材１１が収納された耐火帯１２と、この耐火帯１２を火災時等のように所定温度以上になると膨脹できるように設けられた感熱膨脹材１３とで構成されている。
【００１０】
前記取付け具９、９Ａの一方の取付け具９は図４に示すように、アングル状の一方の取付け具本体１４と、この一方の取付け具本体１４の前記上部見切壁７の底面と当接する当接部材１４ａに所定間隔で形成された複数個のビス挿入孔１５と、この複数個のビス挿入孔１５と対応する部位の耐火シート取付け部材１４ｂにそれぞれ形成されたビス１６で固定する場合のドライバー等の挿入切欠部１７とで構成されている。
【００１１】
また、前記取付け具９、９Ａの他方の取付け具９Ａは図５に示すように、前記上部見切壁７の下部角部に複数本のビス１６で固定されるアングル状に形成された他方の取付け具本体１８と、この他方の取付け具本体１８の前記上部見切壁７の側面と当接する部位に所定間隔に形成された複数個のビス挿入孔１９とで構成されている。
【００１２】
上記構成の免震ビル等の目地装置１は、上部見切壁７の一方側の底面に複数本のビス１６によって一方の取付け具９を固定する。
しかる後、ほぼ中央部に感熱膨脹材１３を取付けた耐火シート１０の一端部１０ａを支持板２０と複数本のビス２１を用いて一方の取付け具９に密封状態で固定する。
【００１３】
次に、耐火シート１０内に耐火綿、ロックウール等の耐火材１１を目地部５に隙間が生じないように入れるとともに、耐火シート１０の他端部１０ｂを他方の取付け具９Ａに支持板２０と複数本のビス２１を用いて取付ける。
次に、他方の取付け具９Ａを上部見切壁７の他方側の角部に押し当て、複数本のビス１６で上部見切壁７に固定する。
【００１４】
上記のように取付けられた免震ビル等の目地装置１は、上部見切壁７に耐火帯１２が取付けられているため、地震等によって上下方向および前後左右方向に揺れ動いても、耐火帯１２が伸縮して、目地部５に隙間が生じることなく覆った状態を保つことができる。
また、火災が発生した場合には、その熱によって感熱膨脹材１３が作動して耐火帯１２を膨脹させ、目地部５に隙間が生じないように密閉することができ、火災の内部への侵入を効率よく阻止することができる。
【００１５】
【発明の異なる実施の形態】
次に、図８ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図８ないし図１０に示す本発明の第２の実施の形態において、前記本発明の第１の実施の形態と主に異なる点は取付け具９Ｂで、この取付け具９Ｂはアングル状の取付け具本体２２と、この取付け具本体２２の先端部に下方へ突出するように一体形成された取付け片２３と、前記取付け具本体２２の後端部寄りの部位にＬ字状に一体形成した断熱板２４を支持する先端部に係合凹部２５を有する断熱板支持片２６と、前記取付け片２３に複数本のビス２１によって取付けられるＬ字状の断熱板支持板２７と、この断熱板支持板２７の先端部に形成された前記断熱板支持片２６の係合凹部２５に入り込む係合片２８とで構成されている。
このように形成された取付け具９Ｂを用いて構成した免震ビル等の目地装置１Ａにしても、前記本発明の第１の実施の形態と同様な作用効果が得られる。
【００１７】
図１１ないし図１３に示す本発明の第３の実施の形態において、前記本発明の第１の実施の形態と主に異なる点は、下部見切壁８に取付け具９、９Ａを用いて耐火帯１２を取付けた点で、このように構成した免震ビル等の目地装置１Ｂにしても、前記本発明の第１の実施の形態と同様な作用効果が得られる。
【００１８】
図１４ないし図１６に示す本発明の第４の実施の形態において、前記本発明の第１の実施の形態と主に異なる点は、上部見切壁７に一対のクランク状の支持板２９、２９を複数本のビス１６、１６を用いて取付けた点で、このように構成した免震ビル等の目地装置１Ｃにしても、前記本発明の第１の実施の形態と同様な作用効果が得られるとともに、耐火帯１２が下部見切壁８部位より外れるのを確実に阻止することができる。
【００１９】
図１７ないし図１９に示す本発明の第５の実施の形態において、前記本発明の第４の実施の形態と主に異なる点は、感熱膨脹材を用いることなく一対の支持板２９、２９に上下移動可能で、常時耐火シート１０を下部見切壁８に押し圧する耐火体３０を用いた点で、このように構成した免震ビル等の目地装置１Ｄにしても、前記本発明の第４の実施の形態と同様な作用効果が得られる。
なお、本発明の実施の形態において、耐火体３０を上部方向にだけ移動可能に取付けてもよい。
【００２０】
図２０および図２１に示す本発明の第６の実施の形態において、前記本発明の第１の実施の形態と主に異なる点は、下部見切壁を用いることなく耐火帯１２を取付けた点で、このように構成した免震ビル等の目地装置１Ｅにしてもよい。
【００２１】
図２２および図２３に示す本発明の第７の実施の形態において、前記本発明の第３の実施の形態と主に異なる点は、上部見切壁を用いることなく耐火帯１２を取付けた点で、このように構成した免震ビル等の目地装置１Ｆにしてもよい。
【００２２】
【発明の効果】
以上の説明から明らかなように、本発明にあっては次に列挙する効果が得られる。
【００２３】
（１）免震ビル等の外壁面の下端部の下部に空間部を介して設置されたよう壁に、前記空間部へ突出して最適な目地部となるように設けられた下部見切壁、前記免震ビル等の外壁面の下端部に前記空間部へ突出して最適な目地部となるように設けられた上部見切壁の両方あるいはいずれか一方と、この上部見切壁あるいは下部見切壁に取付け具を介して密封状態で前記目地部を覆うように取付けられた耐火シートの内部に耐火綿、ロックウール等の耐火材が収納された耐火帯と、この耐火帯を所定温度以上になると膨脹できるように該耐火帯内に設けられた感熱膨脹材とで構成されているので、目地部を耐火シートと耐火綿、ロックウール等の耐火材とからなる耐火帯によって覆うことができる。
したがって、耐火可能で断熱性を有するように目地部を覆うことができる。
【００２４】
（２）前記（１）によって、火災等によって所定温度以上になると耐火帯を感熱膨脹材によって膨脹させて、目地部を確実に密閉することができる。
したがって、火災等の侵入を確実に阻止することができ、効率よく防火を図ることができる。
【００２５】
（３）前記（１）によって、耐火シート内に耐火綿、ロックウール等の耐火材を入れた耐火帯を用いているので、耐火帯が伸縮し、地震等によって上下方向および前後左右方向に揺れ動いても、その揺れ動きに追従して伸縮、スライド移動して、目地部に隙間が生じるのを効率よく阻止することができる。
【００２６】
（４）請求項２、３も前記（１）〜（３）と同様な効果が得られる。
【図面の簡単な説明】
【図１】本発明の第１の実施の形態の使用状態の断面図。
【図２】本発明の第１の実施の形態の正面図。
【図３】本発明の第１の実施の形態の平面図。
【図４】本発明の第１の実施の形態の一方の取付け具の説明図。
【図５】本発明の第１の実施の形態の他方の取付け具の説明図。
【図６】本発明の第１の実施の形態の一方の取付け具の取付け状態の説明図。
【図７】本発明の第１の実施の形態の他方の取付け具の取付け状態の説明図。
【図８】本発明の第２の実施の形態の使用状態の断面図。
【図９】本発明の第２の実施の形態の正面図。
【図１０】本発明の第２の実施の形態の取付け具の説明図。
【図１１】本発明の第３の実施の形態の使用状態の断面図。
【図１２】本発明の第３の実施の形態の正面図。
【図１３】本発明の第３の実施の形態の平面図。
【図１４】本発明の第４の実施の形態の使用状態の断面図。
【図１５】本発明の第４の実施の形態の正面図。
【図１６】本発明の第４の実施の形態の支持板の説明図。
【図１７】本発明の第５の実施の形態の取付け状態の断面図。
【図１８】本発明の第５の実施の形態の正面図。
【図１９】本発明の第５の実施の形態の耐火体の説明図。
【図２０】本発明の第６の実施の形態の取付け状態の断面図。
【図２１】本発明の第６の実施の形態の正面図。
【図２２】本発明の第７の実施の形態の取付け状態の断面図。
【図２３】本発明の第７の実施の形態の正面図。
【符号の説明】
１、１Ａ〜１Ｆ：免震ビル等の目地装置、
２：免震装置、          ３：建物、
３ａ：外周部、          ４：よう壁、
５：目地部、            ６：空間部、
７：上部見切壁、        ８：下部見切壁、
９、９Ａ、９Ｂ：取付け具、
１０：耐火シート、      １１：耐火材、
１２：耐火帯、          １３：感熱膨脹材、
１４：一方の取付け具本体、
１５：ビス挿入孔、      １６：ビス、
１７：挿入切欠部、
１８：他方の取付け具本体、
１９：ビス挿入孔、      ２０：支持板、
２１：ビス、            ２２：取付け具本体、
２３：取付け片、        ２４：断熱板、
２５：係合凹部、        ２６：断熱板支持片、
２７：断熱板支持板、
２８：係合片、
２９：支持板、          ３０：耐火体。
【図１】
0003720256.tif 000002
【図２】
0003720256.tif 000003
【図３】
0003720256.tif 000004
【図４】
0003720256.tif 000005
【図５】
0003720256.tif 000006
【図６】
0003720256.tif 000007
【図７】
0003720256.tif 000008
【図８】
0003720256.tif 000009
【図９】
0003720256.tif 000010
【図１０】
0003720256.tif 000011
【図１１】
0003720256.tif 000012
【図１２】
0003720256.tif 000013
【図１３】
0003720256.tif 000014
【図１４】
0003720256.tif 000015
【図１５】
0003720256.tif 000016
【図１６】
0003720256.tif 000017
【図１７】
0003720256.tif 000018
【図１８】
0003720256.tif 000019
【図１９】
0003720256.tif 000020
【図２０】
0003720256.tif 000021
【図２１】
0003720256.tif 000022
【図２２】
0003720256.tif 000023
【図２３】
0003720256.tif 000024